【事件の表示】
　平成　５年特許願第２９３９４８号「ＬＥＤ表示装置」拒絶査定不服審判事件〔平成　７年　５月１９日出願公開、特開平　７−１２９０９９〕について、次のとおり審決する。
【結　論】
　本件審判の請求は、成り立たない。
【理　由】
１．手続の経緯
　本願は、平成５年１０月２９日に出願した特願平５−２９３９４８号であって、平成１３年１２月１７日付けで拒絶査定がなされ、これに対し平成１４年１月２４日に拒絶査定に対する審判請求がなされた。
　
２．本願発明
　本願の請求項１に係る発明（以下、「本願発明」という。）は、特許請求の範囲の請求項１に記載された次のとおりのものと認める。
「赤、緑、青、三元色のLEDをそれぞれ少なくとも一つ用いてカラー表示するLED表示装置において、
　色コード入力に対応した色を発光させ、前記LEDの点灯制御をパルスデューティで実施するLED点灯制御部を内部に有し、
　表面に前記LEDを配列して前記カラー表示面に向けられ、裏面に前記LED点灯制御部の回路を搭載した基板を有し、
　一つのパッケージに構成され、一つのカラー表示面を有し、当該パッケージの表示面部に透明若しくは半透明の光拡散板を設け、
　前記パッケージに前記基板が裏側から嵌め込まれてポッティングされて固定されていることを特徴とするLED表示装置。」
　
３．引用例
　これに対して、当審の拒絶の理由に引用された、特開昭６０−７３５８０号公報（以下、引用例１という。）には、以下の技術事項が記載されている。
ア．本発明は、赤、緑および青の３原色をそれぞれ表示する３色の表示素子多数をマトリクス状に配置してなる表示面を備え、カラー映像信号をディジタル処理することにより上記表示面に表示すべき映像中における上記各表示素子ごとの位置および色に対応する輝度の階調データを作成し、この輝度階調に応じて対応する上記各表示素子の光出力をパルス幅制御することによって、静画、動画もしくは文字等またはこれらの組み合わせからなるカラーもしくは単色（モノクローム）映像を表示するカラー表示装置に関する。（公報第１頁右下欄１３行〜第２頁左上欄３行）
　
イ．従来、この種の装置として、ブラウン管（ＣＲＴ）、白熱ランプ、蛍光ランプ、発光ダイオード（ＬＥＤ）などの発光素子や、・・・などの表示素子からなる絵素をマトリクス状に多数配置してなる表示面を用いたものが知られている。この場合、・・・赤（Ｒ）、緑（Ｇ）および青（Ｂ）の３原色を各々表示する表示素子Ｒ、ＧおよびＢを第１図（ａ）または（ｂ）に示すように配置して各表示素子Ｒ、Ｇ、Ｇ、ＢまたはＲ、Ｇ、Ｂの１組を１つの絵素とする表示面を用いることによってカラー映像を表示するカラー表示装置とすることができる。（公報第２頁左上欄５〜１９行）
　
ウ．この階調データは、１画面メモリ８の前記表示素子７のそれぞれに対応づけられたアドレスに一時格納され、垂直ブランキング期間等所定の時期に１垂直期間（映像信号がＮＴＳＣの場合、１／６０秒）より充分短い時間（例えば数ｍＳ）で表示制御部９に転送される。（公報第３頁左上欄下から４行〜右上欄２行）
　
エ．４．図面の簡単な説明　第１図は、・・・、第２図は本発明の１実施例に係る表示装置の全体ブロック図（公報第４頁左下欄１１〜１４行）
　
　したがって、引用例１には、上記各記載事項及び第１図、第２図等から、以下の発明（以下、引用発明、という。）が記載されている。
「赤、緑、青、３原色のLEDをそれぞれ少なくとも一つ用いてカラー表示するLED表示装置において、
　各表示素子ごとの位置および色に対応する輝度の階調データを作成し、この輝度階調に応じて対応する上記各表示素子の光出力をパルス幅制御することによって、カラー映像を表示する表示制御部９を内部に有し、各表示素子Ｒ、Ｇ、Ｂの１組を１つの絵素とする表示面を有したカラー表示装置。」
　
　同じく、当審の拒絶の理由に引用された、特開昭６１−１０５５８４号公報（以下、引用例２という。）には、以下の技術事項が記載されている。
　
オ．発光ユニットを接続固定するマザーボードの一面或は両面に発光ユニットに対する給電ライン及び制御ラインをプリント配線すると共に発光ユニットに夫々発光素子ドライバとラッチ・メモリとを付属せしめたものである。（公報第２頁左上欄７〜１１行）
　
カ．セラミック基板６上に赤（Ｒ）、緑（Ｇ）及び黄（Ｙ）のＬＥＤ夫々７（Ｒ）、７（Ｇ）及び７（Ｙ）を適宜配列すると共に基板背面にラッチ・メモリ８及び発光素子ドライバ９及び水平／垂直ストローブ信号ゲート回路（ＡＮＤ）１０を実装しこれらをケース１１に収納した上で樹脂１２にてモールドしリード端子１３、１３を突出する如く構成したものである。（公報第２頁左上欄下から３行〜右上欄６行）
　
　したがって引用例２には、「表面にＬＥＤを配列し、背面にラッチ・メモリ８及び発光素子ドライバ９及び水平／垂直ストローブ信号ゲート回路（ＡＮＤ）１０を実装した基板を、ケース１１に収納した上で樹脂１２にてモールドした発光ユニット」が記載されている。
　
４．対比
　本願発明と引用発明とを対比すると、引用発明の「３原色のLED」、「各表示素子ごとの位置および色に対応する輝度の階調データを作成し、この輝度階調に応じて対応する上記各表示素子の光出力をパルス幅制御することによって、カラー映像を表示する表示制御部９」は、それぞれ、本願発明の「三元色のLED」、「色コード入力に対応した色を発光させ、前記LEDの点灯制御をパルスデューティで実施するLED点灯制御部」に相当する。
　
　したがって、両者は、「赤、緑、青、三元色のLEDをそれぞれ少なくとも一つ用いてカラー表示するLED表示装置において、
　色コード入力に対応した色を発光させ、前記LEDの点灯制御をパルスデューティで実施するLED点灯制御部を内部に有し、
　一つのカラー表示面を有しているLED表示装置。」である点で一致し、以下の各点において相違している。
　
相違点１；
　本願発明では、表面にLEDを配列してカラー表示面に向けられ、裏面にLED点灯制御部の回路を搭載した基板を有し、一つのパッケージに構成されているのに対し、引用発明では、そのような限定がない点。
　
相違点２；
　本願発明では、パッケージの表示面部に透明若しくは半透明の光拡散板を設けているのに対し、引用発明では、そのような限定がない点。
　
相違点３；
　本願発明では、パッケージに基板が裏側から嵌め込まれてポッティングされて固定されているのに対し、引用発明では、そのような限定がない点。
　
５．当審の判断
相違点１について
　引用例２には、上記の発明が記載され、「ラッチ・メモリ８及び発光素子ドライバ９及び水平／垂直ストローブ信号ゲート回路（ＡＮＤ）１０」等は、LED点灯制御部の回路ということができ、また「ケース１１に収納した上で樹脂１２にてモールドした発光ユニット」は、一つのパッケージに構成されているということができ、技術分野も引用発明と同様ＬＥＤを用いた発光装置に関するものであるので、引用発明と組み合わせて、相違点１の構成とすることは、当業者にとって容易である。
　　
相違点２について
　LED表示装置において、パッケージの表示面部に透明若しくは半透明の光拡散板を設けることは従来周知（例えば、実願昭６３−６２４０７号（実開平１−１７１４８３号）のマイクロフィルム（第３図（Ｃ）「光拡散フィルタ１３」）、実願昭５４−８２１２号（実開昭５５−１０８４７６号）のマイクロフィルム（第３図「拡散シート６」）、実願平３−１１１５９３号（実開平５−５５５６７号）のＣＤ−ＲＯＭ（図１「拡散板」）等参照。）の技術事項であり、これらを引用発明に適用して、相違点２の構成とすることは、当業者にとって容易である。
　　
相違点３について
　パッケージに基板を裏側から嵌め込んで固定することは従来周知（例えば、特開平３−８９３８８号公報、特開昭５６−１１４８３号公報、実願昭６３−６２４０７号（実開平１−１７１４８３号）のマイクロフィルム、特開平５−１０７３４５号公報、実願平４−８７号（実開平５−５７６８７号）のＣＤ−ＲＯＭ、特開平４−３０５６４号公報等参照。）の技術事項であり、ポッティングで固定した点は、当業者が必要に応じてなし得る設計事項である。なお、樹脂で固定した点は、上記周知例の内、特開平３−８９３８８号公報、特開昭５６−１１４８３号公報、特開平４−３０５６４号公報等にも記載されている。
　これらの周知技術を引用発明に適用して、相違点３の構成とすることは、当業者にとって容易である。
　
　また、本願発明の効果も、引用例１、２に記載された発明、及び従来周知の技術事項から予測できる範囲のものである。
　
６．むすび
　したがって、本願発明は、上記引用例１、２に記載された発明、及び従来周知の技術事項に基づいて、当業者が容易に発明をすることができたものと認められるから、特許法第２９条第２項の規定により特許を受けることができない。
　よって、結論のとおり審決する 。